(57)【特許請求の範囲】
【請求項１】
靴上部分（２）と、前記靴上部分（２）に連結している靴底（３）とを有する靴（１）、特に運動靴であって、
前記靴上部分（２）及び前記靴底（３）は、連結要素（４）によって互いに連結される構成において、
前記連結要素（４）が、縦方向に伸長する異形成型部分であり、前記異形成型部分は、上細片状セクション（５）と、２つのフォークセクション（７、８）を有する下フォーク状セクション（６）とを有し、前記靴上部分（２）は、その領域内に前記靴底（３）に近接する細片状上部分セクション（９）を有し、前記細片状上部分セクション（９）は、前記連結要素（４）の前記上細片状セクション（５）に連結し、前記靴底（３）はその領域内に前記靴上部分（２）に近接する細片状靴底セクション（１０）を有し、前記細片状靴底セクション（１０）は、前記２つのフォークセクション（７、８）間で伸長し、かつ、前記フォークセクション（７、８）のうちの少なくとも１つに連結し、
前記細片状靴底セクション（１０）と、前記フォークセクション（７、８）のうちの少なくとも１つとの間の連結を、溶接連結（１４）によって確立する
ことを特徴とする靴。
【請求項２】
前記フォークセクション（７、８）は実質的に互いに平行に配置される
請求項１に記載の靴。
【請求項３】
前記細片状上部分セクション（９）と、前記連結要素（４）の前記上細片状セクション（５）との間の連結は、とじ目（１１）によって確立される
請求項１または２に記載の靴。
【請求項４】
前記細片状靴底セクション（１０）と前記フォークセクション（７、８）のうちの少なくとも１つとの間の連結は、はめ合い連結（１２、１３）によって確立される
請求項１ないし３のいずれかに記載の靴。
【請求項５】
前記はめ合い連結（１２、１３）は、前記細片状靴底セクション（１０）における、または前記フォークセクション（７、８）のうちの少なくとも１つにおける少なくとも１つの鼻状突出部（１２）と、前記フォークセクション（７、８）のうちの１つにおける、または前記細片状靴底セクション（１０）における少なくとも１つのフックセクション（１３）とを含み、前記鼻状突出部（１２）及び前記フックセクション（１３）は互いに適合するようにデザインされる
請求項４に記載の靴。
【請求項６】
単一の鼻状突出部（１２）を前記細片状靴底セクション（１０）に配置しまたは設け、単一のフックセクション（１３）を前記フォークセクション（７、８）のうちの１つに配置するまたは設ける
請求項５に記載の靴。
【請求項７】
前記溶接連結（１４）は、レーザ溶接連結である
請求項１に記載の靴。
【請求項８】
前記細片状靴底セクション（１０）と、前記フォークセクション（７、８）のうちの少なくとも１つとの間の連結を、はめ合い連結（１２、１３）によって、及び、材料接合連結（１４）によって確立する
請求項１ないし７のいずれかに記載の靴。
【請求項９】
前記連結要素（４）は、プラスチック異形押出である
請求項１ないし８のいずれかに記載の靴。
【請求項１０】
前記連結要素（４）のプラスチック材料は透明である
請求項９に記載の靴。
【請求項１１】
前記靴底（３）は、少なくとも１つの靴底部分（３’、３’’）を含み、前記靴上部分（２）は、地上に面している領域内に配置される少なくとも１つの切り取り部分（１５、１６）を含み、前記切り取り部分（１５、１６）のサイズ及び形状は、前記靴上部分（２）との接触領域内の前記靴底部分（３’、３’’）に対応し、前記少なくとも１つの靴底部分（３’、３’’）を前記少なくとも１つの切り取り部分（１５、１６）に差し込み、前記連結要素（４）によって前記靴上部分（２）に連結する
請求項１ないし１０のいずれかのいずれかに記載の靴。
【請求項１２】
前記少なくとも１つの靴底部分（３’、３’’）を、貝状構造としてデザインする
請求項１１に記載の靴。
【請求項１３】
１つの靴底部分（３’、３’’）を後足領域内に配置し、１つの靴底部分（３’’）を前足領域内に配置する
請求項１１または１２に記載の靴。
【請求項１４】
前記靴上部分（２）を、連続的にかつ継ぎ目なく前記２つの靴底部分（３’、３’’）間にデザインする
請求項１３に記載の靴。
【発明の詳細な説明】
【技術分野】
【０００１】
本発明は、靴上部分と、当該靴上部分に連結している靴底を有する靴、特に運動靴であって、靴上部分及び靴底は、連結要素によって互いに連結される靴に関する。
【背景技術】
【０００２】
一般的な種類の靴は、縫い合わせによって、靴上部分と靴底とを連結するように生産されることが多い。あるいは、または、加えて、水密性を保証するものとする接着連結も既知である。連結の質は基本的に、靴が恒久的に使用可能であるかどうかによって決まる。
【０００３】
特に、靴の水密性に対して、靴上部分と靴底との間の連結を確立するためのより精緻な解決法も知られるようになった。ここで、必要とされる費用が時々かなり大きくなって、それに対して靴の生産に費用が掛かってしまうといった弊害がもたらされる。
【発明の概要】
【発明が解決しようとする課題】
【０００４】
本発明は、一般的な種類の靴をさらに展開することで、靴上部分と靴底との間の連結を簡略化可能とすることを課題とする。ここで、当該部分間の連結の高い安定性が保証される。さらに、靴上部分と靴底との間の連結を、防水性を有するようにもする。費用効率の高い靴の生産が可能になるような製造に対して、容易な方法で連結がもたらされ得るものとする。
【課題を解決するための手段】
【０００５】
本発明による解決法は、連結要素が、縦方向に伸長する異形成型部分であり、当該部分は、上細片状セクションと、２つのフォークセクションを有する下フォーク状セクションとを有する。ここで、靴上部分はその領域内に靴底に近接する細片状上部分セクションを有し、この細片状上部分セクションは、連結要素の細片状セクションに連結し、靴底はその領域内に靴上部分に近接する細片状靴底セクションを有し、この細片状靴底セクションは、２つのフォークセクション間で伸長し、かつ、フォークセクションのうちの少なくとも１つに連結する。
【０００６】
フォークセクションは実質的に互いに平行に配置されるのが好ましい。
【０００７】
細片状上部分セクションと、連結要素の上細片状セクションとの間の連結は、とじ目によって確立されるのが好ましい。
【０００８】
細片状靴底セクションと、フォークセクションのうちの少なくとも１つとの間の連結は、はめ合い連結によって確立されるのが好ましい。そのために、はめ合い連結は、細片状靴底セクションにおける（またはフォークセクションのうちの少なくとも１つにおける）少なくとも１つの鼻状突出部と、フォークセクションのうちの１つにおける（または細片状靴底セクションにおける）少なくとも１つのフックセクションとを含むことができ、ここで、鼻状突出部及びフックセクションは互いに適合するようにデザインされる。そのために、単一の鼻状突出部を細片状靴底セクションに配置しまたは設け、単一のフックセクションをフォークセクションのうちの１つに配置するまたは設けるのが好ましい。
【０００９】
細片状靴底セクションと、フォークセクションのうちの少なくとも１つとの間の連結を、材料接合連結によって確立することもできる。そのために、材料接合連結は、溶接連結、特に、レーザ溶接連結であるのが好ましい。
【００１０】
具体的には、細片状靴底セクションと、フォークセクションのうちの少なくとも１つとの間の連結を、はめ合い連結によって、及び、材料接合連結によって確立するのが好ましい。
【００１１】
連結要素は、プラスチック異形押出であるのが好ましい。連結要素のプラスチック材料は、透明であるのが好ましい。
【００１２】
靴底は、少なくとも１つの靴底部分を含むことができ、この場合、靴上部分は、地上に面している領域内に配置される少なくとも１つの切り取り部分を含む。この切り取り部分のサイズ及び形状は、靴上部分との接触領域内の靴底部分に対応し、それによって、少なくとも１つの靴底部分を少なくとも１つの切り取り部分に差し込むことができ、連結要素によって靴上部分に連結することができる。
【００１３】
少なくとも１つの靴底部分を、貝状構造としてデザインすることができる。それによって、この部分は主に、靴のかかと領域内の靴底部分となる。
【００１４】
それによって、１つの靴底部分を後足領域内に配置することができ、１つの靴底部分を前足領域内に配置することができる。靴上部分を、連続的にかつ継ぎ目なく２つの靴底部分間にデザインすることが好ましい。
【００１５】
用語「上部」及び「底部」それぞれが使用される限りでは、これらは、靴が通常使用される状態にあり、地上に置かれている場合の靴の位置に言及する。
【００１６】
よって、プラスチック異形の形態の連結要素は靴底要素の突出部にはめ込まれるが、この突出部は、取り付けられた後、レーザ溶接によって靴底要素に連結される。その後、プラスチック異形は、プラスチック異形の平坦なウエブセクションを介して、靴上部分において縫い合わされる。
【００１７】
靴上部分と靴底との間の簡易で費用効率の高い、生産可能な複合材料は、高い安定性とかなりの気密性とを有するようになる。
【図面の簡単な説明】
【００１８】
【図１】靴上部分と、靴上部分に固定される２つの靴底部分とを有する靴の透視図
【図２】靴底部分が取り外された、底部から横方向に見た靴上部分の透視図
【図３】靴の靴底部分のうちの１つの透視図
【図４】図１による断面Ｃ−Ｄにおける、完成した靴の断面図
【発明を実施するための形態】
【００１９】
図面により、下記のように本発明の実施形態が示される。
【００２０】
図１〜３において、最初に、靴上部分２及び靴底３を有する靴１の基本デザインの一例の可能な実施形態が示されている。靴上部分２は、その底部領域内に２つの切り取り部分１５及び１６を有し、その部分に、靴底部分３’及び３’’が差し込まれ、かつ固定される。
【００２１】
靴上部分２と、靴底３、別の場合、靴底部分３’、３’’との間の連結を行う際の詳細が、図４による詳細な断面図から明らかである。外側領域にはＡで印が付けられ、靴の内側にはＩで印が付けられている。
【００２２】
靴上部分２は、靴底３に近接する領域内に、細片状上部分セクション９を備えている。また、靴底３は、靴上部分２に面している領域内に、細片状靴底セクション１０を含む（図３を参照）。２つの細片状セクション９及び１０は、プラスチック異形押出であり、かつ、図４から明らかである断面形状を有する連結要素４によって、互いに連結される。
【００２３】
連結要素４は、上細片状セクション５、及び、下フォーク状セクション６を含む。フォーク状セクション６は、実質的に互いに平行にわたる２つのフォークセクション７及び８を含み、それらの間に受容空間が画定される。
【００２４】
細片状上部分セクション９と、連結要素４の上細片状セクション５との間の連結は、縫い合わせによって行われる。上述した２つの部分を連結するとじ目１１が示されている。
【００２５】
しかしながら、連結要素４と細片状靴底セクション１０との間の連結は、はめ合い連結と材料接合連結との組み合わせによって確立される。
【００２６】
このために、細片状靴底セクション１０は、鼻状突出部１２を含み、これは図４にも示される。この鼻状突出部１２は靴の外側に向けられ、反対側では、すなわち、靴の内側に面している側では、細片状靴底セクション１０が、直線的に、別の場合は、平面的に設けられる。
【００２７】
２つのフォークセクションのうちの１つ、すなわち、フォークセクション７は、フックセクション１３を備える。フックセクション１３及び突出部１２は、互いに適合するように、すなわち、当該両部分が貼り合わされている状態にデザインされ、図４に示されるような配置構成が与えられる。フックセクション１３は、突出部１２をはめるように把持するため、連結要素４においてしっかりと靴底３を保持する。
【００２８】
確実に、通常は、このはめ合い連結だけではしっかりとした状態にするには不十分であるため、部分３及び４を貼り合わせた後に追加の材料接合連結がもたらされる。これは、ここでは、連結要素４及び靴底セクション１０の材料のレーザ溶接によって行われる。
【００２９】
図４では、焦点が合わせられたレーザ光が、所望の溶接とじ目１４がもたらされるべき場所上へと向けられる、レーザヘッド１７が示されている。連結要素４及び靴底セクション１０の材料の短い溶融後、それら部分間に、しっかりとした機械的接合及び防水性を有する連結がもたらされる。
【００３０】
靴底３及び連結要素４に対して、熱可塑性プラスチック材料を使用することによって、簡易な方法での材料接合連結が可能になる。
【００３１】
しかしながら、上述の部分間では接着連結も考慮に入れることができる。
【符号の説明】
【００３２】
１  靴
２  靴上部分
３  靴底
３’  靴底部分
３’’  靴底部分
４  連結要素
５  上細片状セクション
６  下フォーク状セクション
７  フォークセクション
８  フォークセクション
９  細片状上部分セクション
１０  細片状靴底セクション
１１  とじ目
１２、１３  はめ合い連結
１２  鼻状突出部
１３  フックセクション
１４  溶接とじ目
１５  切り取り部分
１６  切り取り部分
１７  レーザヘッド
Ｉ  内側
Ａ  外側
【図１】
0005913636.tif 000002
【図２】
0005913636.tif 000003
【図３】
0005913636.tif 000004
【図４】
0005913636.tif 000005